(57)【要約】【課題】  本発明は、水道水等の原水の水の分子を極めて小さくできることにより極めて小さい目のメッシュのフィルターを使用して原水を濾過できる水殺菌濾過処理装置及びその処理方法を提供する。【解決手段】  水殺菌濾過処理装置１０の原水タンク１２は永久磁石棒２２が内設されたオゾンミキサー２０と連通されている。このオゾンミキサー２０はオゾナイザー２６と接続されている。前記オゾンミキサー２０は第１直線状パイプ３２、第１円弧状パイプ３４、第１ループ状パイプ３６、半円弧状パイプ３８、第２直線状パイプ４０、第２円弧状パイプ４２、第２ループ状パイプ４４からなるスパイラル反応管装置３０に接続されている。このスパイラル反応管装置３０は活性炭濾過装置５０及び第１フィルター収容体５６、第２フィルター収容体５８、第３フィルター収容体５９からなるフィルター濾過装置５４に接続されている。【選択図】  図１
2006326520.tif 000002
【特許請求の範囲】
【請求項１】
水道水等の原水を殺菌、濾過して浄水を製造する水殺菌濾過処理装置であって、原水が入れられた原水タンクと連通されて前記原水が通過すると共に内部に永久磁石が内設されたオゾンミキサーと、このオゾンミキサーにオゾンを供給するオゾナイザーと、前記オゾンミキサーと連通されてオゾンミキサーを通過した原水が通過すると共に第１直線状パイプ、第１ループ状パイプ、半円弧状パイプ、第２直線状パイプ、第２円弧状パイプ、第２ループ状パイプを連結して形成されたスパイラル反応管装置と、このスパイラル反応管装置と連通されてスパイラル反応管装置を通過した原水が通過することにより原水を濾過する活性炭濾過装置と、この活性炭濾過装置と連通されると共に前記原水を濾過する第１フィルター収容体、第２フィルター収容体、第３フィルター収容体から構成されたフィルター濾過装置と、前記第１フィルター収容体に収容された第１フィルターと、前記第２フィルター収容体に収容された第２フィルターと、前記第３フィルター収容体に収容された第３フィルターと、前記フィルター濾過装置と連通されると共にフィルター濾過装置で濾過されて製造された浄水が通過する浄水用パイプと、この浄水用パイプに接続された浄水タンク供給パイプと、この浄水タンク供給パイプと連通された浄水タンクと、を有してなることを特徴とする水殺菌濾過処理装置。
【請求項２】
水道水等の原水を殺菌、濾過して浄水を製造する水殺菌濾過処理装置であって、原水が入れられた原水タンクと連通されて前記原水が通過すると共に内部に永久磁石が内設されたオゾンミキサーと、このオゾンミキサーにオゾンを供給するオゾナイザーと、前記オゾンミキサーと連通されてオゾンミキサーを通過した原水が通過すると共に第１直線状パイプ、第１ループ状パイプ、半円弧状パイプ、第２直線状パイプ、第２円弧状パイプ、第２ループ状パイプを連結して形成されたスパイラル反応管装置と、このスパイラル反応管装置と連通されてスパイラル反応管装置を通過した原水が通過することにより原水を濾過する活性炭濾過装置と、この活性炭濾過装置と連通されると共に前記原水を濾過する第１フィルター収容体、第２フィルター収容体、第３フィルター収容体から構成されたフィルター濾過装置と、前記第１フィルター収容体に収容された第１フィルターと、前記第２フィルター収容体に収容された第２フィルターと、前記第３フィルター収容体に収容された第３フィルターと、前記フィルター濾過装置と連通されると共にフィルター濾過装置で濾過されて製造された浄水が通過する浄水用パイプと、この浄水用パイプに接続された浄水タンク供給パイプと、この浄水タンク供給パイプと連通された浄水タンクと、この浄水タンクに接続されて浄水を供給する浄水供給パイプと、前記浄水用パイプに接続されると共に前記浄水供給パイプに連通された浄水ＵＶ殺菌装置供給パイプと、この浄水ＵＶ殺菌装置供給パイプの中間部に設けられた浄水ＵＶ殺菌装置と、を有してなることを特徴とする水殺菌濾過処理装置。
【請求項３】
水道水等の原水を殺菌、濾過して浄水を製造する水殺菌濾過処理装置であって、原水が入れられた原水タンクと連通されて前記原水が通過すると共に内部に永久磁石が内設されたオゾンミキサーと、このオゾンミキサーにオゾンを供給するオゾナイザーと、前記オゾンミキサーと連通されてオゾンミキサーを通過した原水が通過すると共に第１直線状パイプ、第１ループ状パイプ、半円弧状パイプ、第２直線状パイプ、第２円弧状パイプ、第２ループ状パイプを連結して形成されたスパイラル反応管装置と、このスパイラル反応管装置と連通されてスパイラル反応管装置を通過した原水が通過することにより原水を濾過する活性炭濾過装置と、この活性炭濾過装置と連通されると共に前記原水を濾過する第１フィルター収容体、第２フィルター収容体、第３フィルター収容体から構成されたフィルター濾過装置と、前記第１フィルター収容体に収容された第１フィルターと、前記第２フィルター収容体に収容された第２フィルターと、前記第３フィルター収容体に収容された第３フィルターと、前記フィルター濾過装置と連通されると共にフィルター濾過装置で濾過されて製造された浄水が通過する浄水用パイプと、この浄水用パイプに接続された浄水タンク供給パイプと、この浄水タンク供給パイプと連通された浄水タンクと、この浄水タンクに接続されて浄水を供給する浄水供給パイプと、前記浄水用パイプに接続されると共に前記浄水供給パイプに連通された浄水ＵＶ殺菌装置供給パイプと、この浄水ＵＶ殺菌装置供給パイプの中間部に設けられた浄水ＵＶ殺菌装置と、前記浄水用パイプに浄水槽用電磁弁を設けた浄水貯水槽用パイプを介して連通されて前記浄水を貯水することができる浄水貯水槽と、この浄水貯水槽に接続されて浄水貯水槽に貯められた浄水を利用する場合に用いられると共に貯浄水供給電磁弁が設けられて前記浄水用パイプに連通された貯浄水供給パイプと、を有してなることを特徴とする水殺菌濾過処理装置。
【請求項４】
水道水等の原水を殺菌、濾過して浄水を製造する水殺菌濾過処理方法であって、原水タンクの原水を内部に永久磁石が内設されたオゾンミキサーに流入させて原水をオゾンミキサー内で乱流状態にし、この乱流状態の原水にオゾナイザーから供給されたオゾンを混合させてオゾンの酸化処理作用によって前記原水を殺菌し、第１直線状パイプ、第１円弧状パイプ、第１ループ状パイプ、半円弧状パイプ、第２直線状パイプ、第２円弧状パイプ、第２ループ状パイプによって構成されたスパイラル反応管装置に前記原水を高速通過させることにより原水の分子を極めて微小にし、この原水を活性炭濾過装置で濾過し、この活性炭濾過装置で濾過された原水を第１フィルターが内設された第１フィルター収容体，第２フィルターが内設された第２フィルター収容体，第３フィルターが内設された第３フィルター収容体で構成されたフィルター濾過装置で濾過することにより浄水を製造することを特徴とする水殺菌濾過処理方法。
【請求項５】
前記第１フィルターのメッシュの目の大きさを１μｍに、前記第２フィルターのメッシュの目の大きさを０．５μｍ、前記第３フィルターのメッシュの目の大きさを０．２２μｍに、それぞれしたことを特徴を特徴とする請求項１、請求項２、請求項３の水殺菌濾過処理装置及び請求項４の水殺菌濾過処理方法。
【発明の詳細な説明】
【技術分野】
【０００１】
本発明は、水道水等の原水を殺菌すると共に原水の分子を極めて小さくすることにより極めて小さい目のフィルターを使用して濾過を可能にして原水を浄水にする水殺菌濾過処理装置及びその処理方法に関する。
【背景技術】
【０００２】
水道水等の原水を殺菌、濾過して浄水にする水殺菌濾過処理装置及びその処理方法が従来より種々提案されている。
ところで、前記水殺菌濾過処理装置及びその処理方法の中には水道水等の原水に含まれている水藻や錆等の不純物を取り除く手段として原水をフィルターで濾過して前記原水に含まれている不純物等を取り除くタイプのものがある。
しかし、前記フィルターのメッシュの目を極めて小さくし過ぎると原水の水の分子が前記フィルターを通過しにくくなって濾過が困難となる。このため、前記フィルターのメッシュの目を極めて小さくすることは上記理由によりできない。
この結果、従来の水殺菌濾過処理装置及びその処理方法に使用されているフィルターでは原水に含まれている微細な不純物も原水と共に前記フィルターを通過してしまい製造された浄水の中に微細な不純物が含まれるおそれがある。
【特許文献１】特開平７−３２８６６０号公報
【発明の開示】
【発明が解決しようとする課題】
【０００３】
本発明は、上記事実に鑑みなされたものであり、水道水等の原水の水の分子を極めて小さくすることを可能にしたことにより極めて小さい目のメッシュのフィルターを使用して前記原水を濾過することが可能になるので、微細な不純物を含まない浄水を製造することができる水殺菌濾過処理装置及びその処理方法を提供するものである。
【課題を解決するための手段】
【０００４】
請求項１の発明は、水道水等の原水を殺菌、濾過して浄水を製造する水殺菌濾過処理装置であって、原水が入れられた原水タンクと連通されて前記原水が通過すると共に内部に永久磁石が内設されたオゾンミキサーと、このオゾンミキサーにオゾンを供給するオゾナイザーと、前記オゾンミキサーと連通されてオゾンミキサーを通過した原水が通過すると共に第１直線状パイプ、第１ループ状パイプ、半円弧状パイプ、第２直線状パイプ、第２円弧状パイプ、第２ループ状パイプを連結して形成されたスパイラル反応管装置と、このスパイラル反応管装置と連通されてスパイラル反応管装置を通過した原水が通過することにより原水を濾過する活性炭濾過装置と、この活性炭濾過装置と連通されると共に前記原水を濾過する第１フィルター収容体、第２フィルター収容体、第３フィルター収容体から構成されたフィルター濾過装置と、前記第１フィルター収容体に収容された第１フィルターと、前記第２フィルター収容体に収容された第２フィルターと、前記第３フィルター収容体に収容された第３フィルターと、前記フィルター濾過装置と連通されると共にフィルター濾過装置で濾過されて製造された浄水が通過する浄水用パイプと、この浄水用パイプに接続された浄水タンク供給パイプと、この浄水タンク供給パイプと連通された浄水タンクと、を有してなることを特徴としている。
請求項２の発明は、水道水等の原水を殺菌、濾過して浄水を製造する水殺菌濾過処理装置であって、原水が入れられた原水タンクと連通されて前記原水が通過すると共に内部に永久磁石が内設されたオゾンミキサーと、このオゾンミキサーにオゾンを供給するオゾナイザーと、前記オゾンミキサーと連通されてオゾンミキサーを通過した原水が通過すると共に第１直線状パイプ、第１ループ状パイプ、半円弧状パイプ、第２直線状パイプ、第２円弧状パイプ、第２ループ状パイプを連結して形成されたスパイラル反応管装置と、このスパイラル反応管装置と連通されてスパイラル反応管装置を通過した原水が通過することにより原水を濾過する活性炭濾過装置と、この活性炭濾過装置と連通されると共に前記原水を濾過する第１フィルター収容体、第２フィルター収容体、第３フィルター収容体から構成されたフィルター濾過装置と、前記第１フィルター収容体に収容された第１フィルターと、前記第２フィルター収容体に収容された第２フィルターと、前記第３フィルター収容体に収容された第３フィルターと、前記フィルター濾過装置と連通されると共にフィルター濾過装置で濾過されて製造された浄水が通過する浄水用パイプと、この浄水用パイプに接続された浄水タンク供給パイプと、この浄水タンク供給パイプと連通された浄水タンクと、この浄水タンクに接続されて浄水を供給する浄水供給パイプと、前記浄水用パイプに接続されると共に前記浄水供給パイプに連通された浄水ＵＶ殺菌装置供給パイプと、この浄水ＵＶ殺菌装置供給パイプの中間部に設けられた浄水ＵＶ殺菌装置と、を有してなることを特徴としている。
請求項３の発明は、水道水等の原水を殺菌、濾過して浄水を製造する水殺菌濾過処理装置であって、原水が入れられた原水タンクと連通されて前記原水が通過すると共に内部に永久磁石が内設されたオゾンミキサーと、このオゾンミキサーにオゾンを供給するオゾナイザーと、前記オゾンミキサーと連通されてオゾンミキサーを通過した原水が通過すると共に第１直線状パイプ、第１ループ状パイプ、半円弧状パイプ、第２直線状パイプ、第２円弧状パイプ、第２ループ状パイプを連結して形成されたスパイラル反応管装置と、このスパイラル反応管装置と連通されてスパイラル反応管装置を通過した原水が通過することにより原水を濾過する活性炭濾過装置と、この活性炭濾過装置と連通されると共に前記原水を濾過する第１フィルター収容体、第２フィルター収容体、第３フィルター収容体から構成されたフィルター濾過装置と、前記第１フィルター収容体に収容された第１フィルターと、前記第２フィルター収容体に収容された第２フィルターと、前記第３フィルター収容体に収容された第３フィルターと、前記フィルター濾過装置と連通されると共にフィルター濾過装置で濾過されて製造された浄水が通過する浄水用パイプと、この浄水用パイプに接続された浄水タンク供給パイプと、この浄水タンク供給パイプと連通された浄水タンクと、この浄水タンクに接続されて浄水を供給する浄水供給パイプと、前記浄水用パイプに接続されると共に前記浄水供給パイプに連通された浄水ＵＶ殺菌装置供給パイプと、この浄水ＵＶ殺菌装置供給パイプの中間部に設けられた浄水ＵＶ殺菌装置と、前記浄水用パイプに浄水槽用電磁弁を設けた浄水貯水槽用パイプを介して連通されて前記浄水を貯水することができる浄水貯水槽と、この浄水貯水槽に接続されて浄水貯水槽に貯められた浄水を利用する場合に用いられると共に貯浄水供給電磁弁が設けられて前記浄水用パイプに連通された貯浄水供給パイプと、を有してなることを特徴としている。
請求項４の発明は、水道水等の原水を殺菌、濾過して浄水を製造する水殺菌濾過処理方法であって、原水タンクの原水を内部に永久磁石が内設されたオゾンミキサーに流入させて原水をオゾンミキサー内で乱流状態にし、この乱流状態の原水にオゾナイザーから供給されたオゾンを混合させてオゾンの酸化処理作用によって前記原水を殺菌し、第１直線状パイプ、第１円弧状パイプ、第１ループ状パイプ、半円弧状パイプ、第２直線状パイプ、第２円弧状パイプ、第２ループ状パイプによって構成されたスパイラル反応管装置に前記原水を高速通過させることにより原水の分子を極めて微小にし、この原水を活性炭濾過装置で濾過し、この活性炭濾過装置で濾過された原水を第１フィルターが内設された第１フィルター収容体，第２フィルターが内設された第２フィルター収容体，第３フィルターが内設された第３フィルター収容体で構成されたフィルター濾過装置で濾過することにより浄水を製造することを特徴としている。
請求項５の発明は、前記第１フィルターのメッシュの目の大きさを１μｍに、前記第２フィルターのメッシュの目の大きさを０．５μｍ、前記第３フィルターのメッシュの目の大きさを０．２２μｍに、それぞれしたことを特徴としている。
【発明の効果】
【０００５】
本発明の水殺菌濾過処理装置及び処理方法は、原水の分子を極めて小さくすることを可能にしたことにより極めて細かい目のメュシュのフィルターを使用できることにより微細な不純物が含まれない浄水を製造することができるという優れた効果を有する。
また、本発明の水殺菌濾過処理装置及び処理方法は、溶存酸素の高い浄水を製造することができるという優れた効果を有する。
【発明を実施するための最良の形態】
【０００６】
発明を実施するために最良の形態の例として以下のような実施例を示す。
【実施例１】
【０００７】
図１〜図４には本発明に係る水殺菌濾過処理装置及び処理方法の一実施例が示されている。
図１には水殺菌濾過処理装置１０の全体が概略図で示されている。この水殺菌濾過処理装置１０の一端部には水道水等の原水が供給される原水タンク１２が配設されている。この原水タンク１２には流量計１３Ａが設けられたパイプ１３を介して原水（水道水等）が供給されるようになっている。
前記原水タンク１２は電磁弁１４及びポンプ１６を設けたパイプ１８を介してオゾンミキサー２０と連通されている。図２に示されるように、このオゾンミキサー２０は筒状に形成され、内部には永久磁石としての永久磁石棒２２が複数本内蔵されている。従って、前記オゾンミキサー２０の内部に流れて入りこんだ原水は前記永久磁石棒２２に当たるため、流れ込んだ原水はオゾンミキサー２０内部で乱流状態となる。また、勢いよく流れ込んできた原水がオゾンミキサー２０の内部で前記永久磁石棒２２に当たることにより静電気が発生して水素（Ｈ）が多くなる状態となる。この結果、前記オゾンミキサー２０内で水素ガスが発生するようになっている。
図１に示されるように、前記オゾンミキサー２０は電磁弁１４を設けたパイプ２４を介してオゾナイザー（オゾン発生供給装置）２６と接続されている。このオゾナイザー２６は公知のオゾナイザーであり、この実施例では３０ｇ／Ｈの量のオゾンを発生供給することができる機能を有している。
前記オゾンミキサー２０は電磁弁１４を設けたパイプ２８を介してスパイラル反応管装置３０に接続されている。
図３に示されるように、前記パイプ２８はスパイラル反応管装置３０を構成する第１直線状パイプ３２の一端部３２Ａと連結されている。この第１直線状パイプ３２の他端部３２Ｂは第１円弧状パイプ３４の一端部３４Ａに連結されている。この第１円弧状パイプ３４の他端部３４Ｂは第１ループ状パイプ３６の一端部３６Ａと連結されている。この第１ループ状パイプ３６の他端部３６Ｂは半円弧状パイプ３８の一端部３８Ａと連結されている。この半円弧状パイプ３８の他端部３８Ｂは第２直線状パイプ４０の一端部４０Ａと連結されている。この第２直線状パイプ４０の他端部４０Ｂは第２円弧状パイプ４２の一端部４２Ａと連結されている。この第２円弧状パイプ４２の他端部４２Ｂは第２ループ状パイプ４４の一端部４４Ａと連結されている。
従って、前記スパイラル反応管装置３０を流れる原水は連続して設けられた第１直線状パイプ３２、第１円弧状パイプ３４、第１ループ状パイプ３６、半円弧状パイプ３８、第２直線状パイプ４０、第２円弧状パイプ４２、第２ループ状パイプ４４を通過することにより渦巻き状態で流速を早めてスパイラル反応管装置３０を流れる。これにより、原水の水の分子とオゾンの分子が極めて微小にされてナノ化すると共に水の分子とオゾンの分子が略同じ大きさになる。この結果、オゾンが原水により溶け込むことができるようになり、オゾンの酸化処理作用や殺菌作用をより高めることができる。
なお、図３、図４に示されるように、前記スパイラル反応管装置３０はスパイラル反応管装置取付枠体４６に取り付けられた状態で設置されている。
図１に示されるように、前記スパイラル反応管装置３０の第２ループ状パイプ４４の他端部４４Ｂは電磁弁１４が設けられたパイプ４８を介して活性炭濾過装置５０に連通されている。この活性炭濾過装置５０には椰子殻活性炭等の公知の活性炭が充填され、この活性炭は主に有機物を吸着して原水から有機物を排除するようになっている。従って、前記パイプ４８に導かれた前記原水が活性炭濾過装置５０を通過することにより原水に含まれる残存有機物が主に前記活性炭によって排除されるようになっている。また、前記活性炭濾過装置５０にはドレンパイプ５１が接続されている。
前記活性炭濾過装置５０は電磁弁１４及びポンプ１６を設けたパイプ５２を介して一対のフィルター濾過装置５４と連通されている。これらフィルター濾過装置５４は共に前記パイプ５２に近いほうから順に直列に並んで設けられた第１フィルター収容体５６、第２フィルター収容体５８、第３フィルター収容体５９によって構成されている。
この第１フィルター収容体５６にはメッシュの目の大きさが１μｍの第１フィルター５６Ａが内設され、第２フィルター収容体５８にはメッシュの目の大きさが０．５μｍの第２フィルター５８Ａが内設され、第３フィルター収容体５９にはメッシュの目の大きさが０．２２μｍの第３フィルター５９Ａが内設されている。従って、原水がこれら第１フィルター収容体５６、第２フィルター収容体５８、第３フィルター収容体５９を通過することにより原水に含まれている微細な不純物は上述した極めて小さい目のメッシュの第１フィルター５６Ａ、第２フィルター５８Ａ、第３フィルター５９Ａによって確実に濾過されるようになっている。なお、原水の水の分子は上述したように極めて微小にされてナノ化されているので前記第１フィルター５６Ａ、第２フィルター５８Ａ、第３フィルター５９Ａを通過することができる。
従って、これにより前記原水は上述したように殺菌、濾過されて、溶存酸素量の高い浄水が製造される。
前記フィルター濾過装置５４は電磁弁１４が設けられたパイプ６０を介して浄水用パイプ６２に接続されている。この浄水用パイプ６２には電気伝導計６３Ａと溶存酸素計６３Ｂが接続されている。従って、この溶存酸素計６３Ｂで前記浄水用パイプ６２を通過する前記浄水の溶存酸素の量等を計測できるようになっている。
前記浄水用パイプ６２には浄水タンク供給パイプ６４が接続されている。この浄水タンク供給パイプ６４には浄水タンク供給電磁弁６６が設けられ、浄水タンク供給パイプ６４は浄水タンク６８に連通されている。この浄水タンク６８には浄水を供給する浄水供給パイプ７０とドレンパイプ７１がそれぞれ設けられている。この浄水供給パイプ７０には浄水供給電磁弁７２が設けられている。
また、前記浄水用パイプ６２には前記浄水供給パイプ７０に連通された浄水ＵＶ殺菌装置供給パイプ７４が接続されている。この浄水ＵＶ殺菌装置供給パイプ７４には浄水ＵＶ殺菌装置供給電磁弁７６が設けられている。前記浄水ＵＶ殺菌装置供給パイプ７４の途中には浄水ＵＶ殺菌装置７８が設けられ、浄水ＵＶ殺菌装置供給パイプ７４を通過する浄水に紫外線を照射して殺菌できるようになっている。
さらに、前記浄水用パイプ６２は浄水槽用電磁弁８０を設けた浄水貯水槽用パイプ８２を介して前記浄水を貯水できる浄水貯水槽８４と接続されている。この浄水貯水槽８４にはドレンパイプ８５が設けられている。
前記浄水貯水槽８４には浄水貯水槽８４に貯められた浄水を利用する場合に用いられる貯浄水供給パイプ８６が設けられている。この貯浄水供給パイプ８６は貯浄水供給電磁弁８８が設けられると共に前記浄水用パイプ６２に連通されている。従って、前記浄水貯水槽８４に貯められた浄水を利用する場合は貯浄水供給パイプ８６から前記浄水用パイプ６２に浄水を流すことができるようになっている。また、前記貯浄水供給パイプ８６には前記浄水貯水槽８４から貯浄水供給パイプ８６に流れてきた貯浄水を一時的に貯めることができる貯浄水タンク９０が接続されている。
この貯浄水タンク９０には電磁弁１４とポンプ１６が設けられたリサイクル用パイプ９２が連通されている。このリサイクル用パイプ９２は前記原水タンク１２に接続されている。また、前記リサイクル用パイプ９２はドレンパイプ９４が設けられている。
従って、必要がある場合は前記リサイクル用パイプ９２を使用して前記浄水貯水槽８４や貯浄水タンク９０等に貯まっている浄水を原水タンク１２に戻すこともできるようになっている。
【０００８】
次に、実施例の水殺菌濾過処理装置１０を使用して原水（水道水）を殺菌、濾過して浄水にする方法を説明する。
図１に示されるように、前記原水タンク１２に供給された原水はパイプ１８を介してオゾンミキサー２０に流入するがオゾンミキサー２０には複数の永久磁石棒２２が設けられているので、オゾンミキサー２０に流入した原水は複数の永久磁石棒２２に当たって乱流状態になる。また、このオゾンミキサー２０にはオゾナイザー２６からオゾンが供給されるがオゾンは乱流状態の原水に混ざるので原水に溶け込み、オゾンの酸化処理作用によって前記原水に含まれている水蘚等の藻類等の有機物が分解されると共に菌類等はオゾンの殺菌作用により殺菌される。なお、乱流状態の原水にオゾンが溶け込む結果、原水の溶存酸素率を長時間にわたって高めることができ（この実施例では溶存酸素２０ＰＰＭ以上で２４時間以上）、これによってオゾンの酸化処理作用や殺菌作用を高めることができる。
また、原水が前記オゾンミキサー２０内で永久磁石棒２２に勢いよく当たることにより静電気が発生する。従って、この発生した静電気により原水の水の分子（Ｈ2Ｏ）が分解されて水素（Ｈ）が多くなる状態となるため、オゾンミキサー２０内で水素ガスが発生する。この結果、オゾンがよく溶け込んだ原水は水素ガスの勢いも手伝ってパイプ２８を介してスパイラル反応管装置３０に勢いよく流れ込む。
従って、前記原水はスパイラル反応管３０の第１直線状パイプ３２、第１円弧状パイプ３４、第１ループ状パイプ３６、半円弧状パイプ３８、第２直線状パイプ４０、第２円弧状パイプ４２、第２ループ状パイプ４４を高速通過するので、より原水にオゾンが混合されることになる。しかも、原水とオゾンはスパイラル反応管装置３０の内部を高速で渦を巻くようにして速い流速で流れるので水の分子とオゾンの分子が極めて微小になってナノ化される。しかも、水の分子とオゾンの分子が略同じ大きさになるので、オゾンがより原水に溶け込む。
従って、前記スパイラル反応管装置３０を通過することにより、原水とオゾンはより一層スパイラル反応管装置３０内で混合され、原水とオゾンが混合されることによりオゾンの酸化処理作用や殺菌作用をより向上させることができ、前記原水に含まれている水蘚等の藻類等の有機物が分解されると共に菌類等はオゾンの殺菌作用により殺菌される。
さらに、前記水素ガスによりオゾンがよく溶け込んだ原水は水素ガスの勢いも加わって前記パイプ２８、スパイラル反応管装置３０、パイプ４８等を勢いよく流れるためオゾンがよく溶け込んだ原水が勢いよくパイプ２８、スパイラル反応管装置３０、パイプ４８等を通過することによりパイプ２８、スパイラル反応管装置３０、パイプ４８等の内周面に付着したスライム、水垢等を原水に溶け込んだオゾンが分解すると共にオゾンの殺菌作用により殺菌、洗浄するのでパイプ２８、スパイラル反応管装置３０、パイプ４８等の内部洗浄もすることができる。
前記スパイラル反応管装置３０の第２ループ状パイプ４４を通過した原水はパイプ４８を介して活性炭濾過装置５０に流入し、活性炭濾過装置５０の活性炭により原水に含まれている有機物等が吸着されて排除される。
前記活性炭濾過装置５０を通過した原水はパイプ５２を介してフィルター濾過装置５４の第１フィルター収容体５６、第２フィルター収容体５８、第３フィルター収容体５９によって濾過される。この第１フィルター収容体５６の第１フィルター５６Ａのメッシュの目の大きさは１μｍで、第２フィルター収容体５８の第２フィルター５８Ａのメッシュの目の大きさは０．５μｍで、第３フィルター収容体５９の第３フィルター５９Ａのメッシュの目の大きさは０．２２μｍと極めて小さいが、原水の分子は極めて微小にされてナノ化されているので原水は前記第１フィルター５６Ａ、第２フィルター５８Ａ、第３フィルター５９Ａ通過することができるが、原水に含まれている微細な不純物は前記第１フィルター５６Ａ、第２フィルター５８Ａ、第３フィルター５９Ａを通過することはできず確実に濾過される。
これにより、前記原水は上記手段によって殺菌、濾過されることにより微細な不純物が含まれていない溶存酸素の高い浄水が製造される。
前記フィルター濾過装置５４で濾過されることにより製造された浄水は浄水用パイプ６２、浄水タンク供給パイプ６４を通過して浄水タンク６８に流れ込み浄水供給パイプ７０を介して用途に応じて使用することができる。
【０００９】
なお、製造された浄水を更に紫外線照射により殺菌して使用したい場合は、浄水ＵＶ殺菌装置供給電磁弁７６を開けて浄水タンク供給電磁弁６６を閉じ、前記浄水用パイプ６２に流れる浄水を浄水ＵＶ殺菌装置供給パイプ７４に流して浄水に浄水ＵＶ殺菌装置７８で紫外線を照射して紫外線殺菌してから浄水を浄水供給パイプ７０に流して使用すればよい。
【００１０】
また、製造された浄水を直ぐに使用しないで貯ためておきたい場合は、前記浄水タンク供給電磁弁６６と浄水ＵＶ殺菌装置供給電磁弁７６を閉じると共に浄水槽用電磁弁８０を開け、前記浄水用パイプ６２を流れる浄水を浄水貯水槽用パイプ８２を介して浄水貯水槽８４に供給することにより浄水を貯水することができる。
なお、この浄水貯水槽８４に貯められた浄水を利用する場合は貯浄水供給電磁弁８８を開けて貯浄水供給パイプ８６から前記浄水用パイプ６２に流すことにより使用することができる。
【００１１】
なお、この実施例では原水として水道水を用いた場合を例にして説明したが原水は水道水に限定されるものでないことは勿論である。
また、実施例ではフィルター濾過装置５４を２個設けた場合を示したが、フィルター濾過装置５４の数は２個に限定されるものでないことは勿論である。
【図面の簡単な説明】
【００１２】
【図１】実施例の水殺菌濾過処理装置の全体概略構成図である。
【図２】実施例の水殺菌濾過処理装置に使用されるオゾンミキサーの拡大側面図である。
【図３】実施例の水殺菌濾過処理装置に使用されるスパイラル反応管装置の平面図である。
【図４】実施例の水殺菌濾過処理装置に使用されるスパイラル反応管装置を横から見た図である。
【符号の説明】
【００１３】
１０    海水淡水化処理装置
１２    原水タンク
２０    オゾンミキサー
２２    永久磁石棒
２６    オゾナイザー
３０    スパイラル反応管装置
３２    第１直線状パイプ
３４    第１円弧状パイプ
３６    第１ループ状パイプ
３８    第１ループ状パイプ
４０    第２直線状パイプ
４２    第２円弧状パイプ
４４    第２ループ状パイプ
５０    活性炭濾過装置
５４    フィルター濾過装置
５６    第１フィルター収容体
５６Ａ  第１フィルター
５８    第２フィルター収容体
５８Ａ  第２フィルター
５９    第３フィルター収容体
５９Ａ  第３フィルター
６２    浄水用パイプ
６４    浄水タンク供給パイプ
６６    浄水タンク供給電磁弁
６８    浄水タンク
７０    浄水供給パイプ
７２    浄水供給電磁弁
７４    浄水ＵＶ殺菌装置供給パイプ
７６    浄水ＵＶ殺菌装置供給電磁弁
７８    浄水ＵＶ殺菌装置
８０    浄水槽用電磁弁
８２    浄水貯水槽用パイプ
８４    浄水貯水槽
８６    貯浄水供給パイプ
８８    貯浄水供給電磁弁
９０    貯浄水タンク
【図１】
2006326520.tif 000003
【図２】
2006326520.tif 000004
【図３】
2006326520.tif 000005
【図４】
2006326520.tif 000006